【手続補正書】
【提出日】平成21年6月12日(2009.6.12)
【手続補正１】
【補正対象書類名】特許請求の範囲
【補正対象項目名】全文
【補正方法】変更
【補正の内容】
【特許請求の範囲】
【請求項１】
画像データを出力する画像出力装置と、前記画像出力装置へ前記画像データを送信する情報処理装置と、前記画像出力装置および前記情報処理装置と通信可能に接続されるサーバ装置と、を備える画像出力システムであって、
前記情報処理装置は、
前記画像出力装置において出力される画像データを更に前記サーバ装置に送信する第１の送信手段と、
前記サーバ装置に送信された前記画像データの、該サーバ装置内の格納先に関する情報を、前記画像出力装置に送信する第２の送信手段と、を備え、
前記サーバ装置は、
前記情報処理装置より受信した前記画像データを格納する格納手段を備え、
前記画像出力装置は、
前記情報処理装置より送信された前記画像データを出力する出力手段と、
前記出力する画像データの格納先に関する情報を、前記出力手段により出力された画像データのログ情報として記録する記録手段と
を備えることを特徴とする画像出力システム。
【請求項２】
前記第２の送信手段は、
前記格納先に関する情報を、前記画像出力装置において出力される画像データとともに送信することを特徴とする請求項１に記載の画像出力システム。
【請求項３】
前記記録手段は、
前記格納先に格納された画像データにアクセス可能であった場合に、前記格納先に関する情報を、ログ情報として記録することを特徴とする請求項１に記載の画像出力システム。
【請求項４】
前記記録手段は、
前記格納先に格納された画像データを、前記画像出力装置が読み込み可能であった場合に、前記格納先に関する情報を、ログ情報として記録することを特徴とする請求項１に記載の画像出力システム。
【請求項５】
前記情報処理装置は、
前記情報処理装置が前記第１及び第２の送信手段を実行し、前記サーバ装置が前記格納手段を実行するよう制御する制御モードを設定する設定手段を更に備え、
前記画像出力装置は、
前記情報処理装置より前記画像データが送信された場合に、前記制御モードが設定されているか否かを判定する判定手段を更に備え、
前記記録手段は、前記判定手段において前記制御モードが設定されていると判定された場合に、前記格納先に関する情報を、ログ情報として記録することを特徴とする請求項１に記載の画像出力システム。
【請求項６】
前記画像出力装置は、
前記判定手段において前記制御モードが設定されていないと判定された場合に、前記情報処理装置に対して、前記第１及び第２の送信手段を実行するよう指示する指示手段を更に備えることを特徴とする請求項５に記載の画像出力システム。
【請求項７】
画像データを出力する画像出力装置と、前記画像出力装置へ前記画像データを送信する情報処理装置と、前記画像出力装置および前記情報処理装置と通信可能に接続されるサーバ装置と、を備える画像出力システムにおける情報処理方法であって、
前記情報処理装置の第１の送信手段が、前記画像出力装置において出力される画像データを更に前記サーバ装置に送信する第１の送信工程と、
前記情報処理装置の第２の送信手段が、前記サーバ装置に送信された前記画像データの、該サーバ装置内の格納先に関する情報を、前記画像出力装置に送信する第２の送信工程と、を実行し、
前記サーバ装置の格納手段が、前記情報処理装置より受信した前記画像データを格納する格納工程を実行し、
前記画像出力装置の出力手段が、前記情報処理装置より送信された前記画像データを出力する出力工程と、
前記画像出力装置の記録手段が、前記出力する画像データの格納先に関する情報を、前記出力工程により出力された画像データのログ情報として記録する記録工程と
を実行することをと特徴とする情報処理方法。
【請求項８】
原稿画像を読み取り、前記原稿画像に基づく画像データを生成する読取手段と、
前記読取手段が読み取った画像データに基づく画像出力処理を実行する出力手段と、
前記出力手段が実行した画像出力処理に関連する情報であるログ情報を記録するログ情報記録手段と、を備え、
前記ログ情報記録手段は、前記画像データから前記原稿画像のオリジナル電子データの格納場所に関する情報を抽出した場合には、前記オリジナル電子データの格納場所に関する情報を含むログ情報を記録し、前記画像データから前記原稿画像のオリジナル電子データの格納場所に関する情報を抽出出来なかった場合には、前記画像データを含むログ情報を記録することを特徴とする画像出力装置。
【請求項９】
外部から印刷データを受信する受信手段と、
前記受信手段が受信した印刷データに基づいて画像データを生成する生成手段と、
前記生成手段が生成した画像データに基づく画像出力処理を実行する出力手段と、
前記出力手段が実行した画像出力処理に関連する情報であるログ情報を記録するログ情報記録手段と、を備え、
前記ログ情報記録手段は、前記画像データから前記原稿画像のオリジナル電子データの格納場所に関する情報を抽出した場合には、前記オリジナル電子データの格納場所に関する情報を含むログ情報を記録し、前記画像データから前記原稿画像のオリジナル電子データの格納場所に関する情報を抽出出来なかった場合には、前記画像データを含むログ情報を記録することを特徴とする画像出力装置。
【請求項１０】
読取手段が、原稿画像を読み取り、前記原稿画像に基づく画像データを生成する読取工程と、
出力手段が、前記読取工程において読み取った画像データに基づく画像出力処理を実行する出力工程と、を備え、
ログ情報記録手段が、前記出力工程において実行した画像出力処理に関連する情報であるログ情報を記録するログ情報記録工程と、
前記ログ情報記録工程は、前記画像データから前記原稿画像のオリジナル電子データの格納場所に関する情報を抽出した場合には、前記オリジナル電子データの格納場所に関する情報を含むログ情報を記録し、前記画像データから前記原稿画像のオリジナル電子データの格納場所に関する情報を抽出出来なかった場合には、前記画像データを含むログ情報を記録することを特徴とする情報処理方法。
【請求項１１】
受信手段が、外部から印刷データを受信する受信工程と、
生成手段が、前記受信工程において受信した印刷データに基づいて画像データを生成する生成工程と、
出力手段が、前記生成工程において生成した画像データに基づく画像出力処理を実行する出力工程と、を備え、
ログ情報記録手段が、前記出力工程において実行した画像出力処理に関連する情報であるログ情報を記録するログ情報記録工程と、
前記ログ情報記録工程は、前記画像データから前記原稿画像のオリジナル電子データの格納場所に関する情報を抽出した場合には、前記オリジナル電子データの格納場所に関する情報を含むログ情報を記録し、前記画像データから前記原稿画像のオリジナル電子データの格納場所に関する情報を抽出出来なかった場合には、前記画像データを含むログ情報を記録することを特徴とする情報処理方法。
【請求項１２】
コンピュータを、請求項８または９に記載の画像出力装置の各手段として機能させるための制御プログラム。
【請求項１３】
コンピュータを、請求項８または９に記載の画像出力装置の各手段として機能させるための制御プログラムを格納した記憶媒体。
【手続補正２】
【補正対象書類名】明細書
【補正対象項目名】０００９
【補正方法】変更
【補正の内容】
【０００９】
上記の目的を達成するために本発明に係る画像出力システムは以下のような構成を備える。即ち、
画像データを出力する画像出力装置と、前記画像出力装置へ前記画像データを送信する情報処理装置と、前記画像出力装置および前記情報処理装置と通信可能に接続されるサーバ装置と、を備える画像出力システムであって、
前記情報処理装置は、
前記画像出力装置において出力される画像データを更に前記サーバ装置に送信する第１の送信手段と、
前記サーバ装置に送信された前記画像データの、該サーバ装置内の格納先に関する情報を、前記画像出力装置に送信する第２の送信手段と、を備え、
前記サーバ装置は、
前記情報処理装置より受信した前記画像データを格納する格納手段を備え、
前記画像出力装置は、
前記情報処理装置より送信された前記画像データを出力する出力手段と、
前記出力する画像データの格納先に関する情報を、前記出力手段により出力された画像データのログ情報として記録する記録手段とを備える。